(57)【特許請求の範囲】
【請求項１】
軒先に取り付けられる取付杆と、該取付杆に対し前後方向に進退自在に取り付けられる樋支持具本体とを有した樋取付具において、
前記取付杆、前記樋支持具本体の一方に前後方向に複数の切れ込みよりなる係合凹所が形成され、他方に前記複数の係合凹所のうちの１つに挿着、固定する板状爪片よりなる係合片が形成されており、
前記取付杆および前記樋支持具本体はいずれも、底部と側壁部とを有した形状とし、前記樋支持具本体の底部を前記取付杆の底部の下側に配して重合する結合構造とされ、
前記複数の切れ込みは前記取付杆の側壁部に上部を差し入れ口として形成されている一方、前記板状爪片は前記樋支持具本体に下部を差し入れ端として形成されており、
前記樋支持具本体の底部の一部は開口されており、
前記取付杆と前記樋支持具本体の両部材は、前記開口に前記取付杆を挿入した状態で、相互に近づくように相対的に回動して、前記板状爪片が前記複数の切れ込みのいずれかに挿着されて両部材が結合するようになっていることを特徴とする樋取付具。
【請求項２】
請求項１において、
前記取付杆、前記樋支持具本体の一方に係止部が形成され、他方に該係止部と係止する係止受部が形成されており、前記係止部と前記係止受部との係止により、前記係合片が前記係合凹所より外れることを防止することを特徴とする樋取付具。
【発明の詳細な説明】
【技術分野】
【０００１】
本発明は、軒先に取り付けられる取付杆と、該取付杆に対し前後方向に進退自在に取り付けられる樋支持具本体とを有した樋取付具に関する。
【背景技術】
【０００２】
従来、この種の樋取付具として、樋支持具本体と取付杆とを連結軸で連結し、その連結軸による両部材のロック（固定）を操作部材を操作することで解除して、両部材の前後方向への相互のスライド移動を可能とした軒樋吊り具が提案されている（たとえば、特許文献１参照）。
【先行技術文献】
【特許文献】
【０００３】
【特許文献１】特開２０１３−９１９５０号公報
【発明の概要】
【発明が解決しようとする課題】
【０００４】
しかしながら、上記従来の軒樋吊り具は、樋支持具本体および取付杆のほかに、リベット等よりなる連結軸部材と、ロックを解除するための操作部材とを必要とするため、製造コストが嵩んでいた。
【０００５】
本発明は、このような事情を考慮して提案されたもので、その目的は、部品点数を少なくして低コスト化でき、軒先への施工を簡単に行うこともできる樋取付具を提供することにある。
【課題を解決するための手段】
【０００６】
上記目的を達成するために、請求項１に記載の樋取付具は、軒先に取り付けられる取付杆と、取付杆に対し前後方向に進退自在に取り付けられる樋支持具本体とを有した樋取付具において、取付杆、樋支持具本体の一方に前後方向に複数の切れ込みよりなる係合凹所が形成され、他方に複数の係合凹所のうちの１つに挿着、固定する板状爪片よりなる係合片が形成されており、取付杆および前記樋支持具本体はいずれも、底部と側壁部とを有した形状とし、樋支持具本体の底部を取付杆の底部の下側に配して重合する結合構造とされ、複数の切れ込みは取付杆の側壁部に上部を差し入れ口として形成されている一方、板状爪片は樋支持具本体に下部を差し入れ端として形成されており、樋支持具本体の底部の一部は開口されており、取付杆と樋支持具本体の両部材は、開口に取付杆を挿入した状態で、相互に近づくように相対的に回動して、板状爪片が複数の切れ込みのいずれかに挿着されて両部材が結合するようになっていることを特徴とする。
【０００９】
請求項２に記載の樋取付具は、取付杆、樋支持具本体の一方に係止部が形成され、他方に係止部と係止する係止受部が形成されており、係止部と係止受部との係止により、係合片が係合凹所より外れることを防止することを特徴とする。
【発明の効果】
【００１０】
請求項１に記載の樋取付具によれば、上述の構成となっているため、樋支持具本体と取付杆とを連結するための連結軸部材や、樋支持具本体を取付杆に対して進退自在に操作するための操作部材を用いなくてもよい。そのため、部品点数を少なくして低コスト化でき、軒先等への施工を簡単に行うこともできる。
【００１１】
また、係合凹所は切れ込みよりなり、係合片は切れ込みに挿着される板状爪片よりなるため、板状爪片を切れ込みに挿着するだけで両部材を結合することができる。
【００１２】
さらに、上述の構成となっているため、回動操作することで簡単に両部材を結合することができる。
【００１３】
請求項２に記載の樋取付具によれば、上述の構成となっているため、係合片が係合凹所から外れることを防止できる。また、両部材のずれも防止することができる。
【図面の簡単な説明】
【００１４】
【図１】本発明の一実施形態に係る樋取付具の分解斜視図である。
【図２】樋取付具の縦断面図および要部拡大縦断面図である。
【図３】樋取付具の連結方法を示す模式縦断面図である。
【図４】（ａ）、（ｂ）は、樋取付具の係止部、係止受部の他２例の概略縦断面図である。
【図５】本発明の他の実施形態に係る樋取付具の分解斜視図である。
【発明を実施するための形態】
【００１５】
以下に、本発明の実施の形態について、添付図面を参照しながら説明する。
【００１６】
以下に示す２種の樋取付具１、１（図１、図５参照）は、軒先５に取り付けられる取付杆１０と、取付杆１０に対し前後方向に進退自在に取り付けられる樋支持具本体２０とを有している。取付杆１０、樋支持具本体２０の一方に前後方向に複数の係合凹所（切れ込み１３、１３、・・・）が形成され、他方に複数の係合凹所のうちの１つに挿着、固定する係合片（板状爪片２２ｂ）が形成されている。なお、前後方向とは、軒先５から遠ざかる方向を前方向、その反対方向を後方向とした方向である。
【００１７】
ついで、本発明の実施形態に係る樋取付具１の詳細について、図１〜図４を参照して説明する。
【００１８】
樋取付具１は、軒樋２を吊り支持する樋支持具本体２０を壁等の軒先５に固定する取付杆１０に対して進退自在に取り付けることで、軒樋２の軒先５からの出具合調節を可能とした取付具である。
【００１９】
樋取付具１の一構成部材である取付杆１０は、ステンレス等の金属材あるいは硬質の合成樹脂材で製されており、軒先２に取付板３により固定される板状の取付部１１と、その上端から前方に向けて延びた杆部１２とを備えている。この杆部１２は、取付部１１から前方に延びた板状の底部１２ａと、底部１２ａの幅方向の両端より起立した両側壁部１２ｂ、１２ｂとを備えている。
【００２０】
両側壁部１２ｂ、１２ｂの前方部には前後方向に沿って、等間隔に、上部を、後述する樋支持具本体２０の板状爪片２２ｂを挿着するための差し入れ口１３ａとしたスリット状の複数の切れ込み１３、１３、・・・が形成されている（図１、図２参照）。これらの切れ込み１３、１３、・・・は、両側壁部１２ｂ、１２ｂ間で対応した位置に形成されている。樋支持具本体２０の板状爪片２２ｂが上述した係合片を構成し、この切れ込み１３が上述した係合凹所を構成する。
【００２１】
一方、樋支持具本体２０は、ステンレス等の金属材あるいは硬質の合成樹脂材で製されており、本体部２１を有し、本体部２１の前端側には軒樋２の前耳２ａを吊り下げ保持するための軒樋前耳保持部２６が延出形成され、本体部２１の後端部には軒樋２の後耳２ｂを吊り下げ保持するための軒樋後耳保持部２７が形成されている。なお本例では、軒樋後耳保持部２７は別体の後耳保持片２７ａをリベット（不図示）で固着して構成されている。
【００２２】
本体部２１は、板状の底部２１ａと、底部２１ａの幅方向の両端より起立した両側壁部２１ｂ、２１ｂと、両側壁部２１ｂ、２１ｂの上端間を架け渡すように配された、取付杆１０と連結するための連結部２２とを備えている。この連結部２２は、一方の側壁部２１ｂの上端より延びた板体を折り曲げてなる上板部２２ａと、その後部をさらに下方に折り曲げてなる板状爪片２２ｂとよりなる。この板状爪片２２ｂが取付杆１０の両側壁部１２ｂ、１２ｂの切れ込み１３、１３に差し込まれて、両部材が結合するようになっている。なお、連結部２２は両側壁部２１ｂ、２１ｂの両方に接続されたものとしてもよい。
【００２３】
この板状爪片２２ｂの板厚は、板状爪片２２ｂが切れ込み１３に圧入される程度の寸法とすることが望ましいが、切れ込み１３に対し遊挿できる程度の寸法であってもよい。板状爪片２２ｂの板厚と切れ込み１３のスリット幅の寸法関係は、すくなくとも両部材の前後方向に位置がずれない程度の関係であればよい。
【００２４】
また、図１に示した樋取付具１の樋支持具本体２０が上板部２２ａを有し、この上板部２２ａが取付杆１０の杆部１２に引っ掛けられて吊り支持される構造となっているため、板状爪片２２ｂと切れ込み１３とは遊挿関係であっても樋支持具本体２０が落下するおそれはない。両部材をしっかりと固定するためには、後述する係止構造を両部材に付加することが望ましい。
【００２５】
また、連結部２２の下方には底部２１ａの一部をくり抜いてなる開口２１ｃが形成されている。この樋支持具本体２０の開口２１ｃは、取付杆１０と連結するための操作用の開口であり、図３に示すような回転操作ができる程度の範囲に開口されている。
【００２６】
樋支持具本体２０と取付杆１０とは、板状爪片２２ｂが両側壁部１２ｂ、１２ｂの一対の切れ込み１３、１３に挿着され係合することで結合する。両部材が結合した状態では、図２に示すように、板状爪片２２ｂが切れ込み１３に挿着され、底部１２ａ、２１ａ同士が重合している。
【００２７】
具体的には、両部材は図３に示すように、樋支持具本体２０の開口２１ｃに取付杆１０を挿入し、樋支持具本体２０を図３の白抜き矢印の方向に両部材を相互に近づくように回動させ、板状爪片２２ｂを所望の切れ込み１３に挿着することで相互に結合する。なお、結合操作はいずれの部材を回動させてもよく、相対的に両部材が近づくような回動操作であればよい。
【００２８】
また、本樋取付具１は、両部材の回動動作において板状爪片２２ｂを切れ込み１３に挿着する構造となっているため、板状爪片２２ｂの上下方向の長さを長くすれば挿着がしにくい。よって挿着操作をしやすくするために、板状爪片２２ｂの上下方向の寸法を側壁部２１ｂの高さ寸法にくらべて十分に小とすることが望ましい。さらに、挿着操作をしやすくするために、板状爪片２２ｂをばね性を有したものとしてもよい。
【００２９】
以上に示したように、取付杆１０には複数の切れ込み１３、１３、・・・が等間隔に形成されているので、軒樋２の所望の出具合位置に対応した適切な切れ込み１３に板状爪片２２ｂを挿着させて両部材を結合すればよい。このような両部材の結合は、軒先５への取付施工前に行ってもよいし、取付杆１０を軒先５に固定してから行ってもよい。
【００３０】
このようにして、簡単な操作で取付杆１０の所望の進退位置に樋支持具本体２０を取り付けることができる。しかも、係合片が樋支持具本体２０に一体的に形成され、係合凹所が取付杆１０に一体的に形成されているため、両部材の進退自在な結合のために他の部材を用いる必要がなく、部品点数を少なくして低コスト化することができる。
【００３１】
樋支持具本体２０と取付杆１０との結合は、板状爪片２２ｂと切れ込み１３との係合によりなされるが、本実施形態のものでは、係止部２３と係止受部１４とによる係止構造（図２参照）により、両部材間のずれ、外れが発生しにくいようになっている。
【００３２】
具体的には図２の要部拡大縦断面図に示すように、樋支持具本体２０の板状爪片２２ｂの下端部の前方面に突条よりなる係止部２３が形成されている。また、取付杆１０の各切れ込み１３のスリットの下端部には突条収容凹所１３ｂが形成されており、その凹所の上部が突条の抜け出しを阻止する係止受部１４を構成している。
【００３３】
このような係止部２３と係止受部１４との係止により、板状爪片２２ｂよりなる係合片が切れ込み１３よりなる係合凹所より抜け出すことを防止できる。さらに、両部材の相互の固定を確実にするために底部１２ａ、２１ａ同士をリベットなどの固定具で固定するようにしてもよい。
【００３４】
また、他の構造、形状による係止部および係止受部を他の部位に設けてもよい。図４（ａ）、（ｂ）には係止部２４、２５および係止受部１５、１６の他の例を示した。
【００３５】
図４（ａ）では、樋支持具本体２０の底部２１ａに突起よりなる係止部２４が形成され、取付杆１０の底部１２ａの長手方向に沿った長孔よりなる係止受部１５が形成されている。両部材の結合により底部２１ａ、１２ａ同士が重合すると、樋支持具本体２０の突起が取付杆１０の長孔に嵌合して両部材は相互に固定される。
【００３６】
図４（ｂ）では、樋支持具本体２０の両側壁部２１ｂ、２１ｂの上端に係止爪よりなる係止部２５が形成され、取付杆１０との結合により、係止爪が取付杆１０の側壁部２１ｂの上端（係止受部１６）に係止する構成となっている。
【００３７】
このような係止部２４、２５および係止受部１５、１６は、図２に示した係止構造（係止部２３、係止受部１４）に代えて設けてもよいし、図２に示した係止構造に加えてさらなる係止構造として設けてもよい。
【００３８】
以上に説明したような種々の係止構造を設けることで、係合片（板状爪片２２ｂ）と係合凹所（切れ込み１３）との係合が解除されることが防止できるとともに、樋支持具本体２０と取付杆１０との結合を強固にすることができる。
【００３９】
本明細書では、以上に説明したように、板状爪片２２ｂよりなる係合片と、切れ込み１３によりなる係合凹所を例示したが、他の構造、形状のものであってもよい。樋支持具本体２０、取付杆１０の一方に係合片が形成され、他方に複数の係合凹所が形成されたものであれば、どのような構造、形状であってもよい。たとえば、樋支持具本体２０の側壁部２１ｂ、２１ｂの内面に複数の凹溝よりなる係合凹所を設け、取付杆１０の側壁部１２ｂ、１２ｂの外面に縦突条よりなる係合片を設けて、取付杆１０を樋支持具本体２０に対し上方よりスライド圧入できるような構造としてもよい。
【００４０】
ついで、本発明の他の実施形態に係る樋取付具について、図５を参照して説明する。
【００４１】
この樋取付具１は、図１のものと同様、軒樋２（図２参照。図５では不図示）を吊り支持する樋支持具本体２０を壁等の軒先５（図２参照。図５では不図示）に固定する取付杆１０に対して進退自在に取り付けることで、軒樋２の軒先５からの出具合調節を可能とした取付具である。
【００４２】
本実施形態の樋取付具１は、取付杆１０と樋支持具本体２０との係合構造が図１のものとは異なる。係合構造以外の形状、構造については図１のものと同様であるため、それらについては図面に同一の符号を付して、その説明は省略する。また、係合構造を構成する取付杆１０の切れ込み１３、１３、・・・についても図１のものと同様であり、説明を省略する。
【００４３】
本実施形態の樋取付具１では、樋支持具本体２０に設けた係合片が、側壁部２１ｂ、２１ｂを切り起こし内側に向けて突出させてなる板状爪片２２ｃ、２２ｃよりなる。板状爪片２２ｃは、取付杆１０と結合するための連結部２２を構成する。なお、図５中の２２ｄは、板状爪片２２ｃを切り起こし形成したことによりできた切り起こし開口である。
【００４４】
この板状爪片２２ｃ、２２ｃは、図５に示すように、両側壁部２１ｂ、２１ｂのそれぞれより内向きに突出しており、それぞれが取付杆１０の切れ込み１３、１３に挿着されるようになっている。
【００４５】
本実施形態の樋取付具１についても、図１の実施形態において説明した種々の係止構造（係止部２３、２４、２５および係止受部１３、１４、１５）を付加することで、取付杆１０と樋支持具本体２０との強固な固定結合性が得られることは言うまでもないことである。
【００４６】
また、上述した係合片と係合凹所とによる係合構造や、係止部２３、２４、２５と係止受部１４、１５、１６とによる係止構造は、樋吊具のみならず、軒樋２を受け支持できる樋受具にも適用が可能である。
【符号の説明】
【００４７】
１            樋取付具
２            軒樋
３            取付板
５            軒先
１０          取付杆
１１          取付部
１２          杆部
１２ａ        底部
１２ｂ        側壁部
１３          切れ込み（係合凹所）
１３ａ        差し入れ口
１３ｂ        突条収容凹所
１４          係止受部
１５、１６    係止受部
２０          樋支持具本体
２１          本体部
２１ａ        底部
２１ｂ        側壁部
２１ｃ        開口
２２          連結部
２２ａ        上板部
２２ｂ        板状爪片（係合片）
２２ｃ        板状爪片（係合片）
２３          係止部
２４、２５    係止部
【図１】
0005877216.tif 000002
【図２】
0005877216.tif 000003
【図３】
0005877216.tif 000004
【図４】
0005877216.tif 000005
【図５】
0005877216.tif 000006